(57)【要約】      （修正有）【課題】陳列物を掛ける箇所に応じて、陳列物の懸吊方向を容易に変更することができる陳列什器用懸吊具を提供する。【解決手段】基端部１０１から先端部１０２に向けて延出し、その間に陳列物を懸吊支持することが可能な細長体からなる懸吊部１０と、この懸吊部１０の基端部１０１側を陳列什器の被取付対象に取り付けるためのブラケット１２を備え、この懸吊部１０と交差し、交差地点１０３から延出する部分に陳列物を懸吊支持することが可能な細長体からなる懸架補助部１１を更に備える。【選択図】図１
0003184443.tif 000002
【実用新案登録請求の範囲】
【請求項１】
基端側から先端側に向けて延出し、その間に陳列物を懸吊支持することが可能な細長体からなる懸吊部と、該懸吊部の基端側を陳列什器の被取付対象に取り付けるためのブラケットとを備える陳列什器用懸吊具において、
前記懸吊部と交差し、交差地点から延出する部分に前記陳列物を懸吊支持することが可能な細長体からなる懸吊補助部を備えることを特徴とする陳列什器用懸吊具。
【請求項２】
前記懸吊部の先端部に、前記陳列物に関する情報を表示する表示用板部材を着脱自在に装着してあることを特徴とする請求項１に記載の陳列什器用懸吊具。
【考案の詳細な説明】
【技術分野】
【０００１】
本考案は、基端側から先端側に向けて延出し、その間に陳列物を懸吊支持することが可能な細長体からなる懸吊部と、この懸吊部の基端側を陳列什器の被取付対象に取り付けるためのブラケットとを備える陳列什器用懸吊具に関する。
【背景技術】
【０００２】
従来、専門店や百貨店などの小売業者は、タオルやトイレマットなどの商品を、店舗内に設置した陳列什器に「陳列物」として展示陳列し、商品に対する魅力を高め、商品に対する購買意欲が向上するように工夫している。
【０００３】
陳列物は、商品を販売用容器に収納し、販売用容器の上部に設けた引掛部を、陳列什器から延出する懸吊具に掛け止めることにより、顧客が手に取り易いように工夫されている。また、陳列物は、懸吊部への引掛作業のみで商品を効率良く且つ整然と陳列することができるように工夫されている（例えば、特許文献１）。
【０００４】
ところで、陳列什器から延出する懸吊具としては、特許文献１に記載された懸吊具のようなもの、即ち、細長体からなる懸吊部９０とこの懸吊部９０を陳列什器の被取付対象（図示せず、以下同じ。）に取り付けるためのブラケット９１とを備える陳列什器用懸吊具９のようなものがある（図５参照）。
【０００５】
陳列什器用懸吊具９は、懸吊部９０が基端部９０１から先端部９０２に向けて延出する金属製の棒状又は帯状の細長体であり、その間で陳列物８を懸吊支持する。即ち、陳列什器用懸吊具９は、陳列什器の被取付対象に取り付けられた状態で、被取付対象から正面側に延出しており、複数の陳列物８を被取付対象から正面側に向かって並ぶように懸吊支持する。
【０００６】
陳列物８は、商品８０が販売用容器８１に収納され、販売用容器８１の上部に引掛部８２が設けられている。本実施の形態において、「陳列什器」とは、商品を展示陳列するための器具である。また、「被取付対象」とは、陳列什器の支柱の間に横杆状に架け渡された部材である。また、「被取付対象の正面側」とは、陳列什器の商品を手に取る際に顧客が立つ位置を指す。また、「被取付対象の背面側」は、正面側と逆方向を指す。
【０００７】
また、陳列什器用懸吊具９は、懸吊部９０の先端部９０２が、上方に曲折し、懸吊支持する陳列物８が正面側に摺動して先端から落ちることがないように規制している。
【０００８】
また、陳列什器用懸吊具９は、懸吊部９０の基端部９０１にブラケット９１が溶接されている。ブラケット９１は、陳列什器用懸吊具９が陳列什器の被取付対象に取り付けられた状態で、懸吊部９０との溶接面をなす略方形板状の第１挟持片９１０と、この第１挟持片９１０から曲折して垂下する第２挟持片９１１及び第３挟持片９１２とからなり、これらの挟持片が陳列什器の被取付対象を上方から挟み込む。
【先行技術文献】
【特許文献】
【０００９】
【特許文献１】特開２００３−６１７９５号公報
【考案の概要】
【考案が解決しようとする課題】
【００１０】
ところで、多数の陳列物８を展示陳列する場合には、陳列物８の数に応じて、多数の陳列什器用懸吊具９が必要となる。このとき、多数の陳列什器用懸吊具９は、所定の間隔をあけ、陳列什器の被取付対象から正面側に向かって張り出すように設置されることとなる。
【００１１】
しかしながら、陳列物８が多数であって、且つ、トイレマットのように幅寸法の大きな陳列物８を展示陳列する場合にあっては、隣り合う陳列什器用懸吊具９の間隔を広げる必要があるため、限られた陳列空間内で、陳列什器用懸吊具９の設置数を増やすことが困難となる。
【００１２】
また、陳列物８の内容によっては、商品正面を被取付対象の正面側に向けるより、商品側面を被取付対象の正面側に向ける方が、限られた陳列空間を有効に用いることができる場合や、厚み寸法をアピールしやすくなる場合、など利点が生まれる場合がある。
【００１３】
本考案は、かかる事情を鑑みてなされたものであり、基端側から先端側に向けて延出し、その間に陳列物を懸吊支持することが可能な細長体からなる懸吊部と、この懸吊部の基端側を陳列什器の被取付対象に取り付けるためのブラケットを備え、この懸吊部と交差し、交差地点から延出する部分に陳列物を懸吊支持することが可能な細長体からなる懸架補助部を更に備えることにより、陳列物を掛ける箇所に応じて、陳列物の懸吊方向を容易に変更することができる陳列什器用懸吊具を提供すること目的とする。
【課題を解決するための手段】
【００１４】
本願請求項１に係る陳列什器用懸吊具は、基端側から先端側に向けて延出し、その間に陳列物を懸吊支持することが可能な細長体からなる懸吊部と、該懸吊部の基端側を陳列什器の被取付対象に取り付けるためのブラケットとを備える陳列什器用懸吊具において、前記懸吊部と交差し、交差地点から延出する部分に前記陳列物を懸吊支持することが可能な細長体からなる懸吊補助部を備えることを特徴とする。
【００１５】
即ち、本考案にあっては、懸吊部と懸吊補助部とが交差するようにされてあることにより、懸吊部が懸吊支持する方向と、懸吊補助部が懸吊支持する方向とが異なる方向となる。その結果、陳列物を掛ける箇所を変更することにより、陳列物の懸吊方向を容易に変更することができ、限られた陳列空間を有効に用いることや、厚み寸法をアピールしやすくする。
【００１６】
また、本考案にあっては、懸吊部と懸吊補助部とが交差するようにされてあることにより、懸吊部が懸吊支持する陳列物の摺動を懸吊補助部側が規制する一方、懸吊保持部が懸吊支持する陳列物の摺動を懸吊部側が規制する、関係となる。
【００１７】
本願請求項２に係る陳列什器用懸吊具は、前記懸吊部の先端部に、前記陳列物に関する情報を表示する表示用板部材を着脱自在に装着してあることを特徴とする。
【００１８】
即ち、本考案にあっては、懸吊部の先端側に陳列物に関する情報を表示する部材が装着されることにより、陳列物に関する情報が把握されやすくなる。
【００１９】
また、本考案にあっては、懸吊部の先端側に板部材が装着されることにより、懸吊支持する陳列物が摺動して先端側から落ちることがないように規制する。
【考案の効果】
【００２０】
本考案にあっては、陳列物を掛ける箇所に応じて、陳列物の懸吊方向を容易に変更することができ、陳列物の内容に応じて、限られた陳列空間を有効に用いることや、厚み寸法をアピールしやすくできる。
【図面の簡単な説明】
【００２１】
【図１】本考案に係る陳列什器用懸吊具の全体構造を示す斜視図である。
【図２】図１に係る陳列什器用懸吊具の先端部への、表示用板部材の装着を説明する斜視図である。
【図３】図１に係る陳列什器用懸吊具の全体構造を示す側面図である。
【図４】図１に係る陳列什器用懸吊具の先端部への、表示用板部材の装着を説明する部分断面図である。
【図５】従来の陳列什器用懸吊具の全体構造を示す斜視図である。
【考案を実施するための形態】
【００２２】
（陳列什器用懸吊具の構造について）
本考案に係る陳列什器用懸吊具について、本実施の形態を示す図面に基づき以下説明する。図中において、１は、陳列什器用懸吊具である。
【００２３】
陳列什器用懸吊具１は、細長体からなる懸吊部１０と、この懸吊部１０と交差する懸吊補助部１１と、これらを陳列什器の被取付対象に取り付けるためのブラケット１２と、陳列物８に関する情報を表示する表示用板部材１３とを備える。
【００２４】
懸吊部１０は、基端部１０１から先端部１０２に向けて延出する金属製の棒状又は帯状の細長体となるように形成されている。また、懸吊部１０は、基端部１０１から先端部１０２に向けて延出する部分が、陳列物８を懸吊支持するようにされている（図５参照）。
【００２５】
即ち、懸吊部１０は、陳列什器用懸吊具１が陳列什器の被取付対象に取り付けられた状態で、陳列什器の被取付対象から正面側に延出しており、被取付対象から正面側に向かって並ぶように複数の陳列物８を懸吊支持する。
【００２６】
また、懸吊部１０は、陳列什器用懸吊具１が陳列什器の被取付対象に取り付けられた状態で、先端部１０２が、上方に向かって曲折し、懸吊支持する陳列物８が正面側に摺動して先端から抜け落ちることを規制する。
【００２７】
懸吊補助部１１は、金属製の棒状又は帯状の細長体となるように形成されている。また、懸吊補助部１１は、懸吊部１０の中間部分で交差するように溶接され、交差する懸吊部１０から離れるように交差地点１０３から延出している。また、懸架補助部１１は、陳列什器用懸吊具１が陳列什器の被取付対象に取り付けられた状態で、先端部１１１，１１１が、上方に向かって曲折し、懸吊支持する陳列物８が先端側に摺動して抜け落ちることを規制する。
【００２８】
ブラケット１２は、金属により形成されている。また、ブラケット１２は、懸吊部１０の基端部１０１に溶接されており、陳列什器用懸吊具１が陳列什器の被取付対象に取り付けられた状態で、懸吊部１０との溶接面となる略方形板状の第１挟持片１２０と、この第１挟持片１２０から曲折して垂下する第２挟持片１２１と、第２挟持片１２１から曲折して第１挟持片１２０と平行する第３挟持片１２２とからなり、これらの挟持片が陳列什器の被取付対象を挟み込むようにされている。
【００２９】
更にまた、ブラケット１２は、第３挟持片１２２に挟持調整用ねじ１２３が螺設されてあり、この挟持調整用ねじ１２３が螺旋によって第３挟持片１２２を進退することにより、陳列什器の被取付対象を挟み込む力を変化させる。
【００３０】
表示用板部材１３は、合成樹脂により形成されている。また、表示用板部材１３は、表示板部１３０と、この表示板部１３０を懸吊部１０に装着するための取付基部１３１とを備える。
【００３１】
表示板部１３０は、板片状に形成されており、表側面が透明幕体１３２により覆われている。また、表示板部１３０は、表面と透明幕体１３２との間に間隙１３３が形成されており、この間隙１３３に、陳列物８に関する情報が記載された紙葉（図示せず、以下同じ。）が差し込まれる。
【００３２】
紙葉には、懸吊部１０及び懸吊補助部１１が懸吊支持する陳列物８に関する情報、例えば、商品名、商品内容紹介、価格、バーコードなどが記載されており、顧客への商品のアピールや品切れの際の告知などを行うようにされている。
【００３３】
取付基部１３１は、表示板部１３０の裏面側から突き出ており、懸吊部１０の先端部１０２の曲折箇所が嵌まり込んで密着し得る寸法及び形状を有する嵌挿溝１３４が形成されている。また、嵌挿溝１３４は、溝底に貫通孔１３５が形成されており、この貫通孔１３５に、懸吊部１０の先端部１０２の曲折した先端が嵌まり込むように形成されている。また、嵌挿溝１３４は、溝壁の一部に突起１３６が形成されており、嵌まり込む懸吊部１０の先端部１０２が容易に外れることがないように圧している。
【００３４】
（陳列什器用懸吊具１の使用方法）
陳列什器用懸吊具１は、以下のように用いられる。陳列什器用懸吊具１は、ブラケット１２の挟持調整用ねじ１２３が緩められ、陳列什器の被取付対象に取り付けられる。
【００３５】
次に、陳列什器用懸吊具１は、陳列什器の被取付対象を挟み込んだ状態で、ブラケット１２の挟持調整用ねじ１２３がねじ込まれ、陳列什器の被取付対象を締め付ける（図１及び図３参照）。その結果、陳列什器懸吊具１は、陳列什器の被取付対象に固定される。
【００３６】
このとき、陳列什器用懸吊具１は、陳列什器の被取付対象に取り付けられた状態で、懸吊部１０が被取付対象から正面側に延出するとともに、懸吊部１０に交差する懸吊補助部１１が懸吊部１０から離れるように延出する。
【００３７】
次に、陳列什器用懸吊具１は、懸吊部１０の先端部１０２に表示用板部材１３が嵌め込まれる（図２及び図４参照）。このとき、表示用板部材１３には、陳列物８に関する情報が記載された紙葉が差し込まれる。
【００３８】
次に、陳列什器用懸吊具１は、懸吊部１０又は懸吊補助部１１のいずれかに陳列物８が引っ掛けられ、これらを懸吊支持する。このとき、懸吊部１０が懸吊支持する陳列物８は、商品正面が被取付対象から正面側を向いた方向に支持され、懸吊補助部１１が懸吊支持する陳列物８は、商品側面が被取付対象から正面側を向いた方向に支持される。
【符号の説明】
【００３９】
１  陳列什器用懸吊具
１０  懸吊部
１０１  基端部
１０２  先端部
１０３  交差地点
１１  懸吊補助部
１１１  先端部
１２  ブラケット
１２０  第１挟持片
１２１  第２挟持片
１２２  第３挟持片
１２３  挟持調整用ねじ
１３  表示用板部材
１３０  表示板部
１３１  取付基部
１３２  透明幕体
１３３  間隙
１３４  嵌挿溝
１３５  貫通孔
１３６  突起
８  陳列物
８０  商品
８１  販売用容器
８２  引掛部
９  （従来の）陳列什器用懸吊具
９０  懸吊部
９０１  基端部
９０２  先端部
９１  ブラケット
９１０  第１挟持片
９１１  第２挟持片
９１２  第３挟持片
【図１】
0003184443.tif 000003
【図２】
0003184443.tif 000004
【図３】
0003184443.tif 000005
【図４】
0003184443.tif 000006
【図５】
0003184443.tif 000007